(57)【特許請求の範囲】
【請求項１】
建物本体の上に構造体を介して傾斜状の屋根が配置され、この屋根の下方に小屋裏部屋が形成された小屋裏部屋構造であって、
前記小屋裏部屋は、床材と、この床材と前記屋根との間に設けられた間仕切壁と、前記屋根の下方に配置された小屋裏天井とから構成され、
前記小屋裏天井は、前記屋根の頂部から下方に吊り下げ支持された頂部天井パネルと、この頂部天井パネルと前記構造体との間に傾斜状に掛け渡された傾斜天井パネルとを備えて構成されていることを特徴とする小屋裏部屋構造。
【請求項２】
請求項１に記載の小屋裏部屋構造において、
前記傾斜天井パネルが掛け渡される前記頂部天井パネルには第１の受け部が形成され、前記構造体には第２の受け部が形成され、
前記傾斜天井パネルの傾斜方向上端側には前記頂部天井パネルの第１の受け部に係合可能な第１の係合部が、傾斜方向下端側には前記構造体の第２の受け部に係合可能な第２の係合部がそれぞれ形成されていることを特徴とする小屋裏部屋構造。
【請求項３】
請求項２に記載の小屋裏部屋構造において、
前記第１の受け部は、前記頂部天井パネルの周縁に設けられ前記傾斜天井パネルに対して直角にかつ上方に向かって突出する突片を有し、
前記第２の受け部は、前記構造体に設けられ前記傾斜天井パネルの傾斜方向下端面を受ける第１支持面および上側に第１支持面に対して直角な第２支持面を有する支持部材を有し、
前記第１の係合部は、前記傾斜天井パネルの傾斜方向上端に設けられ前記突片に対して上方から引っ掛け可能な引掛片を有し、
前記第２の係合部は、前記傾斜天井パネルの傾斜方向下端に形成され前記支持部材の第１、第２支持面に上方から当接する凹部を有することを特徴とする小屋裏部屋構造。
【請求項４】
請求項２に記載の小屋裏部屋構造において、
前記第１の受け部は、前記頂部天井パネルの周縁に設けられ前記傾斜天井パネルの傾斜方向と略一致する傾斜面を有する受け材を有し、
前記第２の受け部は、前記構造体に設けられ前記傾斜天井パネルの傾斜方向下端面を受ける第１支持面および上側に第１支持面に対して直角な第２支持面を有する支持部材を有し、
前記第１の係合部は、前記傾斜天井パネルの傾斜方向上端に設けられ前記受け材の傾斜面に上方から当接する当接片を有し、
前記第２の係合部は、前記傾斜天井パネルの傾斜方向下端に形成され前記支持部材の第１、第２支持面に上方から当接する支持部を有することを特徴とする小屋裏部屋構造。
【請求項５】
請求項２〜４のいずれかに記載の小屋裏部屋構造において、
前記構造体は、４本の柱と、この４本の柱の上端間を連結する複数本の上梁と、前記４本の柱の下端間を連結する複数本の下梁とを含む略箱形の骨組みを有する箱形フレームユニットによって構成され、
前記第２の受け部は、前記箱形フレームユニットの上梁上に設けられていることを特徴とする小屋裏部屋構造。
【請求項６】
請求項１〜５のいずれかに記載の小屋裏部屋構造において、
前記傾斜天井パネルは、前記屋根の形状に応じて複数に分割形成され、
前記頂部天井パネルの周囲に前記複数の傾斜天井パネルが配置されていることを特徴とする小屋裏部屋構造。
【発明の詳細な説明】
【０００１】
【発明の属する技術分野】
本発明は、小屋裏部屋構造に関する。詳しくは、建物本体の上に構造体を介して傾斜状の屋根が配置され、この屋根の下方に小屋裏部屋が形成された小屋裏部屋構造に関する。
【０００２】
【背景技術】
最近、居住空間の拡大を目的として、建物本体と屋根との間の小屋裏に小屋裏部屋を作ることが行われている。
たとえば、ユニット式建物の場合、建物ユニットで建物本体を形成したのち、その上に建物本体を構成する建物ユニットと同様な骨組み構成を有する箱形フレームユニットおよび断面三角形状の三角形フレームユニットを配置し、これらに屋根パネルを載せて屋根を形成するとともに、これらのフレームユニット内に小屋裏部屋を形成するようにしている。
あるいは、建物本体の上、箱形の小屋組を組み、それに屋根パネルを配置して屋根を形成するとともに、これらの小屋組内に小屋裏部屋を形成するようにしている。
【０００３】
従来、小屋裏部屋において、天井を形成するには、フレームユニットの上梁間に掛け渡された天井小梁に天井面材を取り付けることにより形成していた。あるいは、小屋組の上梁間に天井面材を取り付けることにより形成していた。
【０００４】
【発明が解決しようとする課題】
従来の小屋裏部屋の天井構造では、フレームユニットの上梁間や小屋組の上梁間に天井面材を取り付けていたため、天井の形状が平坦なものに限られてしまう。これ以外の形状の天井構造、たとえば、ドーム形天井構造を形成しようとすると、専用の複雑な構造が必要なうえ、施工にも時間がかかるという欠点があった。
【０００５】
本発明の目的は、このような従来の欠点を解消し、ドーム形天井を簡単に形成することができる小屋裏部屋構造を提供することにある。
【０００６】
【課題を解決するための手段】
本発明の小屋裏天井構造は、図を参照して説明すると、建物本体２の上に構造体３を介して傾斜状の屋根６が配置され、この屋根６の下方に小屋裏部屋７が形成された小屋裏部屋構造であって、前記小屋裏部屋７は、床材３１と、この床材３１と前記屋根６との間に設けられた間仕切壁３２と、前記屋根６の下方に配置された小屋裏天井３４とから構成され、前記小屋裏天井３４は、前記屋根６の頂部から下方に吊り下げ支持された頂部天井パネル４１と、この頂部天井パネル４１と前記構造体３との間に傾斜状に掛け渡された傾斜天井パネル５１とを備えて構成されていることを特徴とする。
このような構成によれば、屋根６の頂部から下方に頂部天井パネル４１を吊り下げ支持し、この頂部天井パネル４１と構造体３との間に傾斜天井パネル５１を傾斜状に掛け渡すだけでよいから、ドーム形天井を簡単に形成することができる。
【０００７】
以上の構成において、前記傾斜天井パネル５１が掛け渡される前記頂部天井パネル４１には第１の受け部４４が形成され、前記構造体３には第２の受け部４７が形成され、前記傾斜天井パネル５１の傾斜方向上端側には前記頂部天井パネル４１の第１の受け部４４に係合可能な第１の係合部５４が、傾斜方向下端側には前記構造体３の第２の受け部４７に係合可能な第２の係合部５６がそれぞれ形成されていることが望ましい。
このようにすれば、傾斜天井パネル５１を頂部天井パネル４１および構造体３に掛け渡すにあたって、傾斜天井パネル５１の第１の係合部５４を頂部天井パネル４１の第１の受け部４４に、第２の係合部５６を構造体３の第２の受け部４７にそれぞれ係合するだけで、傾斜天井パネル５１を頂部天井パネル４１および構造体３に掛け渡すことができるから、簡単に組立できる。
【０００８】
また、前記第１の受け部４４は、前記頂部天井パネル４１の周縁に設けられ前記傾斜天井パネル５１に対して直角にかつ上方に向かって突出する突片４６を有し、前記第２の受け部４７は、前記構造体３に設けられ前記傾斜天井パネル５１の傾斜方向下端面を受ける第１支持面４８Ａおよび上側に第１支持面４８Ａに対して直角な第２支持面４８Ｂを有する支持部材４８を有し、前記第１の係合部５４は、前記傾斜天井パネル５１の傾斜方向上端に設けられ前記突片４６に対して上方から引っ掛け可能な引掛片５５を有し、前記第２の係合部５６は、前記傾斜天井パネル５１の傾斜方向下端に形成され前記支持部材４８の第１、第２支持面４８Ａ，４８Ｂに上方から当接する凹部５７を有することが望ましい。
【０００９】
このようにすれば、傾斜天井パネル５１を頂部天井パネル４１および構造体３に掛け渡すにあたって、傾斜天井パネル５１の傾斜方向上端側の引掛片５５を頂部天井パネル４１の突片４６に引っ掛け、傾斜方向下端側の凹部５７を構造体３の支持部材４８の第１、第２支持面４８Ａ，４８Ｂに上方から落とし込むだけで係止されるから、簡単に組立できる。
【００１０】
また、前記第１の受け部４４は、前記頂部天井パネル４１の周縁に設けられ前記傾斜天井パネル５１の傾斜方向と略一致する傾斜面６１Ａを有する受け材６１を有し、前記第２の受け部４７は、前記構造体３に設けられ前記傾斜天井パネル５１の傾斜方向下端面を受ける第１支持面６２Ａおよび上側に第１支持面６２Ａに対して直角な第２支持面６２Ｂを有する支持部材６２を有し、前記第１の係合部５４は、前記傾斜天井パネル５１の傾斜方向上端に設けられ前記受け材６１の傾斜面６１Ａに上方から当接する当接片６３を有し、前記第２の係合部５６は、前記傾斜天井パネル５１の傾斜方向下端に形成され前記支持部材６２の第１、第２支持面６２Ａ，６２Ｂに上方から当接する支持部６４を有することが望ましい。
【００１１】
このようにすれば、傾斜天井パネル５１を頂部天井パネル４１および構造体３に掛け渡すにあたって、傾斜天井パネル５１の傾斜方向下端側の支持部６４を構造体３の支持部材６２の第１、第２支持面６２Ａ，６２Ｂに支持させたのち、傾斜方向上端側の当接片６３を頂部天井パネル４１の受け材６１の傾斜面６１Ａに上方から当接させるだけで、傾斜天井パネル５１を頂部天井パネル４１および構造体３に掛け渡すことができるから、簡単に組立できる。しかも、この構成の場合には、当接片６３が引掛片５５に比べ平板で構成できるから、より安価にできる。
【００１２】
また、前記構造体３は、４本の柱１１と、この４本の柱１１の上端間を連結する複数本の上梁１２と、前記４本の柱１１の下端間を連結する複数本の下梁１３とを含む略箱形の骨組み１４を有する箱形フレームユニット３によって構成され、前記第２の受け部４７は、前記箱形フレームユニット３の上梁１２上に設けられていることが望ましい。
このようにすれば、強度も向上するうえ、箱形フレームユニット３内に部屋を簡単に形成することができる。
【００１３】
以上の構成において、傾斜天井パネルは、前記屋根６の形状に応じて複数に分割形成され、前記頂部天井パネル４１の周囲に前記複数の傾斜天井パネル５１Ａ，５１Ｂが配置されていることを特徴とする。
このような構成によれば、屋根６の形状に応じたドーム形の小屋裏天井構造を簡単に形成することができる。
【００１４】
【発明の実施の形態】
以下、本発明の一実施形態を図を参照しながら詳細に説明する。
図１は本発明の小屋裏天井構造を適用したユニット式建物の外観を示している。同ユニット式建物は、複数の建物ユニット１を積層配列して形成した建物本体２と、この建物本体２の上に箱形フレームユニット３および断面三角形状の三角形フレームユニット４を介して複数の屋根パネル５を配置して形成した屋根６と、この屋根６と前記建物本体２との間に形成された小屋裏部屋７とを備える。
【００１５】
前記建物ユニット１は、図２に示すように、４本の柱１１と、この４本の柱１１の上端間を連結する複数本の上梁１２と、前記４本の柱１１の下端間を連結する複数本の下梁１３とを含む略箱形の骨組み１４を有し、この骨組み１４に床材１５、天井材１６、内壁材１７、外壁材（図示省略）などが取り付けられる。
【００１６】
前記箱形フレームユニット３は、図３に示すように、前記建物ユニット１と同様な骨組み１４を有している。ただ、その骨組み１４には、床材１５や必要に応じて間仕切壁（図示省略）などが設けられているのみで、天井材や外壁材などについては取り付けられていない。
前記三角形フレームユニット４は、図４に示すように、梁２１を矩形枠状に組んだ床面フレーム２２と、この床面フレーム２２の一方の長辺側に垂直に起立された２本の柱２３および柱２３の上端間を連結する梁２４を含む起立面フレーム２５と、この起立面フレーム２５の上端と前記床面フレーム２２の他方の長辺側との間に傾斜状に掛け渡された傾斜面フレーム２６とから構成されている。
【００１７】
前記小屋裏部屋７は、図５に示すように、前記箱形フレームユニット３およびこれを挟む両側の三角形フレームユニット４に跨がって設けられた床材３１と、前記三角形フレームユニット４の床面フレーム２２および傾斜面フレーム２６間に立設された間仕切壁３２と、前記三角形フレームユニット４の傾斜面フレーム２６の内面に取り付けられた天井パネル３３と、前記屋根６を構成する屋根パネル５とその下方に配置された構造体としての前記箱形フレームユニット３との間の小屋裏内に設けられたドーム形の小屋裏天井３４とから構成されている。
【００１８】
前記小屋裏天井３４は、図６および図７に示すように、前記屋根６の頂部である両側の屋根パネル５の上端部から複数本の吊木３５を介して下方にかつ水平に吊り下げ支持された頂部天井パネル４１と、この頂部天井パネル４１の幅方向両側と前記箱形フレームユニット３の幅方向両側の上梁１２との間に傾斜状に掛け渡された傾斜天井パネル５１とを備えている。
【００１９】
前記頂部天井パネル４１は、前記屋根パネル５の上端部から吊木３５を介して支持され下面に天井面材４２を取り付けた細幅矩形枠状の枠体４３を備えている。枠体４３の幅方向両側および前記箱形フレームユニット３の幅方向両側の上梁１２には、前記傾斜天井パネル５１の傾斜方向上端および下端を受ける第１、第２の受け部４４，４７が形成されている。
【００２０】
前記第１の受け部４４は、図８に示すように、前記枠体４３の幅方向両側に断面三角形状の調整材４５を介して設けられ、前記傾斜天井パネル５１に対して直角にかつ上方に向かって突出する突片４６を備えている。
前記第２の受け部４７は、前記箱形フレームユニット３の上梁１２上にパネル支持ブラケット４９（上梁１２および梁２４０連結するとともに、屋根パネル５を支持するブラケット）を介して設けられ、前記傾斜天井パネル５１の傾斜方向下端面を受ける第１支持面４８Ａおよび上側に第１支持面４８Ａに対して直角な第２支持面４８Ｂを有する支持部材４８を備えている。
【００２１】
前記傾斜天井パネル５１は、下面に天井面材５２を取り付けた矩形枠状の枠体５３と、この枠体５３の傾斜方向上端側に設けられ前記頂部天井パネル４１の第１の受け部４４に係合可能な第１の係合部５４と、前記枠体５３の傾斜方向下端側に設けられ前記箱形フレームユニット３の第２の受け部４７に係合可能な第２の係合部５６とから構成されている。
【００２２】
前記第１の係合部５４は、前記傾斜天井パネル５１の傾斜方向上端に設けられ前記突片４６に対して上方から引っ掛け可能なＬ字形状のアングル材などからなる引掛片５５を備えている。
前記第２の係合部５６は、前記傾斜天井パネル５１の傾斜方向下端に形成され前記支持部材４８の第１、第２支持面４８Ａ，４８Ｂに上方から当接する凹部５７を備えている。具体的には、傾斜天井パネル５１の傾斜方向下端面に取り付けられた断面Ｌ字状のアングル材５８の下面と傾斜天井パネル５１の傾斜方向下端面とで凹部５７が形成されている。
【００２３】
次に、本実施形態の組立方法を説明する。
複数の建物ユニット１を１，２階に積層配置して建物本体２を形成したのち、その上に箱形フレームユニット３および三角形フレームユニット４を配置し、その上に屋根パネル５を配置して屋根６を形成する。
また、箱形フレームユニット３および三角形フレームユニット４内に床材３１、間仕切壁３２、天井パネル３３および小屋裏天井３４を取り付けて小屋裏部屋７を形成する。なお、床材３１、間仕切壁３２、天井パネル３３については、予め工場において、各ユニット３，４の繋ぎ目を除く部分を各ユニット３，４内に組み付けておくが、建設現場で施工してもよい。
【００２４】
小屋裏天井３４の取り付けにあたっては、屋根パネル５の上端から吊木３５を介して頂部屋根パネル４１を水平に吊り下げ支持したのち、この頂部屋根パネル４１の突片４６と箱形フレームユニット３の支持部材４８とに傾斜天井パネル５１の引掛片５５および凹部５７を掛け渡す。このとき、まず、傾斜天井パネル５１の引掛片５５を頂部屋根パネル４１の突片４６に上方から引っ掛けたのち、傾斜天井パネル５１の傾斜方向下端を支持部材４８に向かって落とし込み、凹部５７を支持部材４８の第１，第２の支持面４８Ａ，４８Ｂに当接させる。あるいは、凹部５７を支持部材４８の第１，第２の支持面４８Ａ，４８Ｂに当接させたのち、傾斜天井パネル５１の引掛片５５を頂部屋根パネル４１の突片４６に上方から引っ掛ける。これにより、傾斜天井パネル５１を頂部屋根パネル４１と箱形フレームユニット３との間に傾斜状に係止させることができる。
【００２５】
従って、本実施形態によれば、屋根６を構成する屋根パネル５の上端から下方に吊り下げ支持された頂部天井パネル４１と、この頂部天井パネル４１と箱形フレームユニット３の上梁１２との間に傾斜状に掛け渡された傾斜天井パネル５１とから小屋裏天井３４を形成したので、屋根６の頂部から下方に頂部天井パネル４１を吊り下げ支持し、この頂部天井パネル４１と箱形フレームユニット３の上梁１２との間に傾斜天井パネル５１を傾斜状に掛け渡すだけでよいから、ドーム形天井を簡単に形成することができる。
【００２６】
また、傾斜天井パネル５１が掛け渡される頂部天井パネル４１および箱形フレームユニット３の上梁１２には第１、第２の受け部４４，４７を形成し、傾斜天井パネル５１の傾斜方向上端側には頂部天井パネル４１の第１の受け部４４に係合可能な第１の係合部５４を、傾斜方向下端側には箱形フレームユニット３の第２の受け部４７に係合可能な第２の係合部５６をそれぞ形成したので、傾斜天井パネル５１を頂部天井パネル４１および箱形フレームユニット３に掛け渡すにあたって、傾斜天井パネル５１の第１の係合部５５を頂部天井パネル４１の第１の受け部４４に、第２の係合部５６を箱形フレームユニット３の第２の受け部４７にそれぞれ係合するだけでよいから、簡単に組立できる。
【００２７】
この際、第１の受け部４４を頂部天井パネル４１の周縁から傾斜天井パネル５１に対して直角にかつ上方に向かって突出する突片４６によって構成するとともに、第２の受け部４７を箱形フレームユニット３の上梁１２上に設けられ第１支持面４８Ａおよび第２支持面４８Ｂを有する支持部材４８によって構成する。また、第１の係合部５４を傾斜天井パネル５１の傾斜方向上端に設けられ突片４６に対して上方から引っ掛け可能な引掛片５５によって構成するとともに、第２の係合部５６を傾斜天井パネル５１の傾斜方向下端に形成され支持部材４８の第１、第２支持面４８Ａ，４８Ｂに上方から当接する凹部５７によって構成している。従って、傾斜天井パネル５１を頂部天井パネル４１および箱形フレームユニット３の上梁１２に掛け渡すにあたって、傾斜天井パネル５１の傾斜方向上端側の引掛片５５を頂部天井パネル４１の突片４６に引っ掛け、傾斜方向下端側の凹部５７を箱形フレームユニット３の支持部材４８の第１，第２支持面４８Ａ，４８Ｂに上方から落とし込むだけでよいから、簡単に組立できる。
【００２８】
また、箱形フレームユニット３は、４本の柱１１と、この４本の柱１１の上端間および下端間を連結する複数本の上梁１２および下梁１３とを含む略箱形の骨組み１４を有する構成であるから、上梁１２に第２の係止部４７を簡単に形成できるうえ、全体として強度も向上させることができ、また、箱形フレームユニット３内に部屋を簡単に形成することができる。しかも、箱形フレームユニット３の骨組み１４は、建物本体２を構成する建物ユニット１の骨組み１４と同じであるから、共通使用できる。
【００２９】
以上述べた実施形態では、切妻屋根に対応した小屋裏天井構造について説明したが、屋根形状に応じた小屋裏天井構造を形成できる。
たとえば、寄棟屋根の場合、図９に示すように、屋根６の頂部から下方に吊り下げ支持された頂部天井パネル４１と、この頂部天井パネル４１と箱形フレームユニット３との間に傾斜状に掛け渡されかつ寄棟屋根の形状に応じて複数に分割形成された複数の傾斜天井パネル５１Ａ，５１Ｂとを含み、頂部天井パネル４１の周囲にこれらの傾斜天井パネル５１Ａ，５１Ｂを配置、つまり、頂部天井パネル４１の両側に傾斜天井パネル５１Ａを、前後に傾斜天井パネル５１Ｂをそれぞれ傾斜状に配置すれば、寄棟屋根の形状に応じたドーム形の小屋裏天井構造を簡単に形成できる。
【００３０】
また、第１、第２の受け部４４，４７および第１、第２の係合部５４，５６の構成についても、上記実施形態で述べた構造に限らず、たとえば、図１０に示す構造でもよい。
これは、第１の受け部４４が、頂部天井パネル４１の周縁に設けられ傾斜天井パネル５１の傾斜方向と略一致する傾斜面６１Ａを有する受け材６１で構成されているとともに、第２の受け部４７が、箱形フレームユニット３の上梁１２上に設けられ傾斜天井パネル５１の傾斜方向下端面を受ける第１支持面６２Ａおよび上側に第１支持面６２Ａに対して直角な第２支持面６２Ｂを有する支持部材６２で構成されている。なお、ここでの支持部材６２は、パネル支持ブラケット４９の傾斜片とそれに取り付けられたアングル材とから構成されている。
また、第１の係合部５４が、傾斜天井パネル５１の傾斜方向上端に設けられ前記受け材６１の傾斜面６１Ａに上方から当接する当接片６３で構成されているとともに、第２の係合部５６が、傾斜天井パネル５１の傾斜方向下端に形成され前記支持部材６２の第１、第２支持面６２Ａ，６２Ｂに上方から当接する支持部６４で構成されている。
【００３１】
このようにすれば、傾斜天井パネル５１を頂部天井パネル４１および箱形フレームユニット３の上梁１２に掛け渡すにあたって、傾斜天井パネル５１の傾斜方向下端側の支持部６４を箱形フレームユニット３の支持部材６２の第１，第２支持面６２Ａ，６２Ｂに支持させたのち、傾斜方向上端側の当接片６３を頂部天井パネル４１の受け材６１の傾斜面６１Ａに上方から当接させるだけでよいから、簡単に組立できる。しかも、この構成の場合には、当接片６３が引掛片５５に比べ平板で構成できるから、より安価にできる。
【００３２】
また、上記実施形態では、屋根６の下方に箱形フレームユニット３が配置されていたが、ユニットに限らず、建設現場で小屋組を組んで、その小屋組で屋根を支持するとともに、小屋裏部屋を構成するようにしてもよい。
また、上記実施形態では、ユニット式建物に適用した例について説明したが、本発明は、ユニット式建物に限らず、在来工法による建物の小屋裏天井構造にも適用できる。
【００３３】
【発明の効果】
本発明の小屋裏部屋構造によれば、屋根の頂部から下方に吊り下げ支持された頂部天井パネルと、この頂部天井パネルと構造体との間に傾斜状に掛け渡された傾斜天井パネルとを備えているから、ドーム形天井を簡単に形成することができる。
【図面の簡単な説明】
【図１】本発明の一実施形態の外観を示す斜視図である。
【図２】同上実施形態で用いる建物ユニットの斜視図である。
【図３】同上実施形態で用いる箱形フレームユニットの斜視図である。
【図４】同上実施形態で用いる三角形フレームユニットの斜視図である。
【図５】同上実施形態における小屋裏部屋の構成を示す断面図である。
【図６】図５の要部拡大図である。
【図７】図６の分解斜視図である。
【図８】図６の要部拡大図である。
【図９】本発明の他の実施形態を示す斜視図である。
【図１０】本発明のさらに他の実施形態を示す断面図である。
【符号の説明】
３  箱形フレームユニット
５  屋根パネル
６  屋根
３４  小屋裏天井
４１  頂部天井パネル
４４  第１の受け部
４６  突片
４７  第２の受け部
４８  支持部材
４８Ａ  第１支持面
４８Ｂ  第２支持面
５１  傾斜天井パネル
５４  第１の係合部
５５  引掛片
５６  第２の係合部
５７  凹部
６１  受け材
６１Ａ  傾斜面
６２  支持部材
６２Ａ  第１支持面
６２Ｂ  第２支持面
６３  当接片
６４  支持部
【図１】
0003756992.tif 000002
【図２】
0003756992.tif 000003
【図３】
0003756992.tif 000004
【図４】
0003756992.tif 000005
【図５】
0003756992.tif 000006
【図６】
0003756992.tif 000007
【図７】
0003756992.tif 000008
【図８】
0003756992.tif 000009
【図９】
0003756992.tif 000010
【図１０】
0003756992.tif 000011